(57)【要約】【課題】構造が簡単で、製造コストが安価であり、強度、耐久性に優れ、狭小部に対応することができる部分入れ歯を提供する。【解決手段】残存歯２を支持する歯肉４部に部分入れ歯６が取り付けられている。部分入れ歯６は義歯８および義歯８を支持する義歯床１０を有する。義歯床１０に金属線１４を介してウイング１２が設けられている。金属線１４の一端は義歯床１０内に埋め込まれている。金属線１４の他端はウイング１２内に埋め込まれている。金属線１４の中央部は露出している。義歯床１０に溝２０が設けられている。ウイング１２に溝２２が設けられている。金属線１４の露出した中央部が溝２０、２２内に位置している。【選択図】図１
2013056085.tif 000002
【特許請求の範囲】
【請求項１】
義歯と、
上記義歯を支持する義歯床と、
上記義歯床に金属線を介して取り付けられたウイングとを有し、
上記ウイングが閉じた状態においては、上記義歯床の歯側が残存歯と歯肉との間に形成される窪み部に係合するとともに、上記ウイングの歯側も上記残存歯と上記歯肉との間に形成される窪み部に係合する
ことを特徴とする部分入れ歯。
【請求項２】
上記金属線のバネ力によって、上記ウイングが閉じる方向に付勢されていることを特徴とする請求項１に記載の部分入れ歯。
【請求項３】
上記金属線のバネ力によって、上記ウイングが開く方向に付勢され、上記義歯床の上記ウイングとの係合部に、上記ウイングの付勢方向に対して外方に向かって上記義歯床の端部側に向かうように傾斜している第１の傾斜面を設け、上記ウイングの上記義歯床との係合部に、上記ウイングの付勢方向に対して外方に向かって上記義歯床の端部側に向かうように傾斜している第２の傾斜面を設けたことを特徴とする請求項１に記載の部分入れ歯。
【請求項４】
上記金属線のバネ力によって、上記ウイングが開く方向に付勢され、上記義歯床の上記金属線が接触すべき部分に溝を設け、上記義歯床の溝の上部に突出部を設けたことを特徴とする請求項１に記載の部分入れ歯。
【発明の詳細な説明】
【技術分野】
【０００１】
本発明は取り外しが可能な部分入れ歯に関するものである。
【背景技術】
【０００２】
従来の部分入れ歯においては、特許文献１に示されるように、義歯床に回動可能に義歯床可動部を設け、義歯床および義歯床可動部にマグネットを設け、マグネットにより義歯床に義歯床可動部が当接した状態とすることにより、部分入れ歯が口内の残存歯部に取り付けられた状態としている。
【０００３】
この部分入れ歯においては、マグネットにより義歯床に義歯床可動部が当接した状態から、マグネットの吸着力に抗して義歯床可動部を回動すれば、口内の残存歯部から部分入れ歯を取り外すことができる。
【０００４】
このような部分入れ歯においては、固定用のクラスプを残存歯に掛けて固定する部分入れ歯と比較して、脱着容易性が良好であり、また審美性に優れている。
【先行技術文献】
【特許文献】
【０００５】
【特許文献１】特開２００４−２５４９１１号公報
【発明の概要】
【発明が解決しようとする課題】
【０００６】
しかし、このような部分入れ歯においては、義歯床および義歯床可動部にマグネットを設けているから、構造が複雑であって、製作が面倒であり、製造コストが高価であり、また強度、耐久性に問題があり、さらに狭小部に対応することができない。
【０００７】
本発明は上述の課題を解決するためになされたもので、製作が容易であり、製造コストが安価であり、強度、耐久性に優れ、狭小部に対応することができる部分入れ歯を提供することを目的とする。
【課題を解決するための手段】
【０００８】
この目的を達成するため、発明の実施態様は、部分入れ歯において、義歯と、上記義歯を支持する義歯床と、上記義歯床に金属線を介して取り付けられたウイングとを有し、上記ウイングが閉じた状態においては、上記義歯床の歯側が残存歯と歯肉との間に形成される窪み部に係合するとともに、上記ウイングの歯側も上記残存歯と上記歯肉との間に形成される窪み部に係合することを特徴とする。
【０００９】
上記金属線のバネ力によって、上記ウイングが閉じる方向に付勢されていることを特徴としてもよい。
【００１０】
上記金属線のバネ力によって、上記ウイングが開く方向に付勢され、上記義歯床の上記ウイングとの係合部に、上記ウイングの付勢方向に対して外方に向かって上記義歯床の端部側に向かうように傾斜している第１の傾斜面を設け、上記ウイングの上記義歯床との係合部に、上記ウイングの付勢方向に対して外方に向かって上記義歯床の端部側に向かうように傾斜している第２の傾斜面を設けたことを特徴としてもよい。
【００１１】
上記金属線のバネ力によって、上記ウイングが開く方向に付勢され、上記義歯床の上記金属線が接触すべき部分に溝を設け、上記義歯床の溝の上部に突出部を設けたことを特徴としてもよい。
【発明の効果】
【００１２】
本発明に係る部分入れ歯においては、義歯床に金属線を介してウイングを設ければよいから、構造が簡単で、製造コストが安価であり、また強度、耐久性に優れ、狭小部に対応することができる。
【００１３】
金属線のバネ力によって、ウイングが開く方向に付勢され、義歯床のウイングとの係合部に、ウイングの付勢方向に対して外方に向かって義歯床の端部側に向かうように傾斜している第１の傾斜面を設け、ウイングの義歯床との係合部に、ウイングの付勢方向に対して外方に向かって義歯床の端部側に向かうように傾斜している第２の傾斜面を設けたときには、ウイングが閉じた状態では、ウイングに付勢方向の力が作用したとしても、部分入れ歯が外れることがないから、部分入れ歯を口内の歯牙欠損部により確実に装着することができ、また第１、第２の傾斜面が当接しない状態とすれば、ウイングに人力が作用しないようにしても、金属線のバネ力によって、ウイングが開いた状態となるから、部分入れ歯を口内の歯牙欠損部から容易に取り外すことができる。
【００１４】
金属線のバネ力によって、ウイングが開く方向に付勢され、義歯床の金属線が接触すべき部分に溝を設け、義歯床の溝の上部に突出部を設けたときには、ウイングが閉じた状態では、金属線の一部が溝と突出部によって構成された係合凹所に係合しているから、ウイングに付勢方向の力が作用したとしても、部分入れ歯が外れることがないので、部分入れ歯を口内の歯牙欠損部により確実に装着することができ、また金属線の一部が係合凹所に係合しない状態とすれば、ウイングに人力が作用しないようにしても、金属線のバネ力によって、ウイングが開いた状態となるから、部分入れ歯を口内の歯牙欠損部から容易に取り外すことができる。
【図面の簡単な説明】
【００１５】
【図１】図１は本発明の実施の形態に係る部分入れ歯を口内の歯部に取り付けた状態を示す概略正面図である。
【図２】図２は図１と同様の概略平面図である。
【図３】図３は図１の拡大Ａ−Ａ断面図である。
【図４】図４は図１の拡大Ｂ−Ｂ断面図である。
【図５】図５は図１の拡大Ｃ−Ｃ断面図である。
【図６】図６は図１の拡大Ｄ−Ｄ断面図である。
【図７】図７は図１〜図６に示した部分入れ歯の動作説明図である。
【図８】図８は本発明の実施の形態に係る他の部分入れ歯の一部を示す断面図である。
【図９】図９は図８に示した部分入れ歯の動作説明図である。
【図１０】図１０は本発明の実施の形態に係る他の部分入れ歯を口内の歯部に取り付けた状態を示す概略正面図である。
【図１１】図１１は図１０の拡大Ｅ−Ｅ断面図である。
【発明を実施するための形態】
【００１６】
図１〜図６により本発明の実施の形態に係る部分入れ歯を説明する。残存歯２を支持する歯肉４部に部分入れ歯６が取り付けられている。すなわち、部分入れ歯６が口内の歯牙欠損部に取り付けられている。部分入れ歯６は義歯８および義歯８を支持する義歯床１０を有する。義歯８および義歯床１０の材料は歯科用床用レジンである。義歯床１０に金属線１４を介してウイング（義歯床可動部）１２が設けられている。金属線１４はチタン、チタン合金、形状記憶合金等からなり、金属線１４の断面形状は円形であり、金属線１４の直径は０．５〜１．０ｍｍである。金属線１４の一端は義歯床１０内に埋め込まれている。義歯床１０に金属からなるスリーブ１６が埋め込まれている。スリーブ１６内を金属線１４が貫通している。金属線１４の他端はウイング１２内に埋め込まれている。ウイング１２に金属からなるスリーブ１８が埋め込まれている。スリーブ１８内を金属線１４が貫通している。金属線１４の中央部は露出している。金属線１４の露出部の両端部の近傍にスリーブ１６、１８が位置している。義歯床１０の金属線１４が接触すべき部分に溝２０が設けられている。ウイング１２の金属線１４が接触すべき部分に溝２２が設けられている。金属線１４の露出した中央部が溝２０、２２内に位置している。そして、図１〜図６に図示した状態では、金属線１４のバネ力によって、ウイング１２の歯側面が義歯床１０の一部および歯肉４に押し付けられた状態となっている。すなわち、金属線１４のバネ力によって、ウイング１２が閉じる方向に付勢されている。
【００１７】
また、ウイング１２が閉じた状態においては、図６に示すように、義歯床１０の舌側（図６紙面左側）の前歯側（図１紙面右側）の歯側上部１０ａが残存歯２と歯肉４との間に形成される窪み部に係合するとともに、ウイング１２の歯側上部１２ａも残存歯２と歯肉４との間に形成される窪み部に係合する。
【００１８】
図１〜図６により説明した部分入れ歯においては、図７に示すように、金属線１４のバネ力に抗してウイング１２が開いた状態にして、部分入れ歯６を口内の歯牙欠損部に装着したのち、ウイング１２に人力が作用しないようにすれば、図６に示すように、金属線１４のバネ力によってウイング１２が閉じた状態になって、義歯床１０の歯側上部１０ａが残存歯２と歯肉４との間に形成される窪み部に係合するとともに、ウイング１２の歯側上部１２ａも残存歯２と歯肉４との間に形成される窪み部に係合するから、部分入れ歯６を図６紙面上方に移動する力を加えたとしても、部分入れ歯６は移動しない。したがって、ウイング１２が閉じた状態では、部分入れ歯６が歯牙欠損部に取り外し不能に取り付けられる。
【００１９】
この状態から、図７に示すように、金属線１４のバネ力に抗してウイング１２を開いた状態にすれば、ウイング１２の歯側上部１２ａが残存歯２と歯肉４との間に形成される窪み部に係合しない状態となり、義歯床１０の歯側上部１０ａが残存歯２と歯肉４との間に形成される窪み部に係合しない状態とすることができるから、部分入れ歯６を図７紙面上方に移動することができる。したがって、ウイング１２が開いた状態では、部分入れ歯６を歯牙欠損部から取り外すことができる。
【００２０】
このような部分入れ歯においては、ウイング１２を開いた状態として、部分入れ歯６を歯牙欠損部に装着したのち、ウイング１２を閉じた状態とすれば、部分入れ歯６を歯牙欠損部に取り外し不能に取り付けることができ、この状態から、ウイング１２を開いた状態にすれば、部分入れ歯６を歯牙欠損部から取り外すことができる。したがって、固定用のクラスプを残存歯に掛けて固定する部分入れ歯と比較して、脱着容易性が良好である。また、固定用のクラスプを残存歯２に掛ける必要がないから、審美性に優れている。しかも、義歯床１０に金属線１４を介してウイング１２を設ければよいから、構造が簡単で、製造コストが安価であり、また強度、耐久性に優れ、狭小部に対応することができる。また、金属線１４の露出部の両端部の近傍にスリーブ１６、１８が位置しているから、ウイング１２を開閉したとしても、義歯床１０、ウイング１２が金属線１４によって損傷するのを防止することができる。
【００２１】
図８、図９により本発明の実施形態に係る他の部分入れ歯を説明する。図８に示す部分入れ歯６においては、ウイング１２が金属線１４によって矢印Ｅの方向すなわち義歯床１０から離れる方向（以下、付勢方向という）に移動するように付勢されている。すなわち、金属線１４のバネ力によって、ウイング１２が開く方向に付勢されている。義歯床１０のウイング１２が係合する部分に第１の傾斜面２４が設けられている。傾斜面２４は付勢方向に対して外方（図８紙面右方）に向かって義歯床１０の端部側（図８紙面下方側）に向かうように傾斜している。ウイング１２の義歯床１０に係合する部分に第２の傾斜面２６が設けられている。傾斜面２６は付勢方向に対して外方に向かって義歯床１０の端部側に向かうように傾斜している。そして、図８に示す状態すなわちウイング１２を閉じた状態では、傾斜面２４と傾斜面２６とが当接している。溝２０は、図８に示す状態で、金属線１４の面よりも義歯床１０の端部側に広がっている。なお、他の構成は図１〜図６により説明した部分入れ歯の構成と同様である。
【００２２】
この部分入れ歯においては、傾斜面２４、２６は付勢方向に対して外方に向かって義歯床１０の端部側に向かうように傾斜しているから、ウイング１２が金属線１４によって付勢方向に移動するように付勢されているとしても、図８に示す状態では、ウイング１２は移動しない。
【００２３】
図８に示す状態から、図９（ａ）に示すように、ウイング１２を義歯床１０の端部側（図９紙面下方側）に移動すると、ウイング１２は付勢方向に移動可能となるから、ウイング１２を開いた状態とすることができる。この状態では、図７に示すように、ウイング１２の歯側上部１２ａが残存歯２と歯肉４との間に形成される窪み部に係合しない状態となり、義歯床１０の歯側上部１０ａが残存歯２と歯肉４との間に形成される窪み部に係合しない状態とすることができるから、部分入れ歯６を図７紙面上方に移動することができる。したがって、この状態すなわちウイング１２が開いた状態では、部分入れ歯６を歯牙欠損部から取り外すことができる。
【００２４】
また、金属線１４のバネ力によりウイング１２が開いた状態にして、部分入れ歯６を口内の歯牙欠損部に装着したのち、金属線１４のバネ力に抗してウイング１２を歯肉４の方向に押すとともに、図９（ａ）に示すように、幾分義歯床１０の端部側に押して、最後に上方に移動すれば、図９（ｂ）に示すように、傾斜面２４と傾斜面２６とが当接して、図６に示すように、ウイング１２が閉じた状態になる。この場合、傾斜面２４、２６は付勢方向に対して外方に向かって義歯床１０の端部側に向かうように傾斜しているから、ウイング１２に付勢方向の力が作用したとしても、ウイング１２は移動しないから、ウイング１２が開くことはない。そして、義歯床１０の舌側の前歯側の歯側上部１０ａが残存歯２と歯肉４との間に形成される窪み部に係合するとともに、ウイング１２の歯側上部１２ａも残存歯２と歯肉４との間に形成される窪み部に係合するから、部分入れ歯６を図６紙面上方に移動する力を加えたとしても、部分入れ歯６は移動しない。したがって、ウイング１２が閉じた状態では、部分入れ歯６が歯牙欠損部に取り外し不能に取り付けられる。
【００２５】
図８に示した部分入れ歯６においては、ウイング１２に付勢方向の力が作用したとしても、部分入れ歯６が外れることがないから、部分入れ歯６を口内の歯牙欠損部により確実に装着することができる。また、傾斜面２４と傾斜面２６とが当接しない状態とすれば、ウイング１２に人力が作用しないようにしても、金属線２０のバネ力によって、ウイング１２が開いた状態となるから、部分入れ歯６を口内の歯牙欠損部から容易に取り外すことができる。
【００２６】
図１０、図１１により本発明の実施形態に係る他の部分入れ歯を説明する。図１０、図１１に示す部分入れ歯６においては、ウイング１２が金属線１４によって義歯床１０から離れる方向に移動するように付勢されている。すなわち、金属線１４のバネ力によって、ウイング１２が開く方向に付勢されている。義歯床１０の溝２０の上部（義歯床１０の端部側（図１１紙面下方側）とは反対側の部分）に突出部２８が設けられている。溝２０は金属線１４の面よりも義歯床１０の端部側に広がっている。そして、溝２０と突出部２８とにより金属線１４が係合すべき係合凹所３０が構成されている。そして、図１０、図１１に示す状態すなわちウイング１２を閉じた状態では、金属線１４の一部が係合凹所３０に係合している。なお、他の構成は図１〜図６により説明した部分入れ歯の構成と同様である。
【００２７】
この部分入れ歯においては、係合凹所３０が突出部２８を有するから、ウイング１２が金属線１４によって付勢方向に移動するように付勢されているとしても、図１０、図１１に示す状態では、ウイング１２は移動しない。
【００２８】
図１０、図１１に示す状態から、ウイング１２を義歯床１０の端部側（図１１紙面下方側）に移動すると、ウイング１２は付勢方向に移動可能となるから、ウイング１２を開いた状態とすることができる。この状態では、図７に示すように、ウイング１２の歯側上部１２ａが残存歯２と歯肉４との間に形成される窪み部に係合しない状態となり、義歯床１０の歯側上部１０ａが残存歯２と歯肉４との間に形成される窪み部に係合しない状態とすることができるから、部分入れ歯６を図７紙面上方に移動することができる。したがって、この状態すなわちウイング１２が開いた状態では、部分入れ歯６を歯牙欠損部から取り外すことができる。
【００２９】
また、金属線１４のバネ力によりウイング１２が開いた状態にして、部分入れ歯６を口内の歯牙欠損部に装着したのち、金属線１４のバネ力に抗してウイング１２を歯肉４の方向に押すとともに、幾分義歯床１０の端部側に押して、最後に上方に移動すれば、図１０、図１１に示すように、金属線１４の一部が係合凹所３０に係合した状態になる。この場合、係合凹所３０が突出部２８を有するので、ウイング１２に付勢方向の力が作用したとしても、ウイング１２は移動しないから、ウイング１２が開くことはない。そして、この状態では、図６に示すように、義歯床１０の舌側の前歯側の歯側上部１０ａが残存歯２と歯肉４との間に形成される窪み部に係合するとともに、ウイング１２の歯側上部１２ａも残存歯２と歯肉４との間に形成される窪み部に係合するから、部分入れ歯６を図６紙面上方に移動する力を加えたとしても、部分入れ歯６は移動しない。したがって、ウイング１２が閉じた状態では、部分入れ歯６が歯牙欠損部に取り外し不能に取り付けられる。
【００３０】
図１０、図１１に示した部分入れ歯６においては、ウイング１２に付勢方向の力が作用したとしても、部分入れ歯６が外れることがないから、部分入れ歯６を口内の歯牙欠損部により確実に装着することができる。また、金属線１４の一部が係合凹所３０に係合しない状態とすれば、ウイング１２に人力が作用しないようにしても、金属線２０のバネ力によって、ウイング１２が開いた状態となるから、部分入れ歯６を口内の歯牙欠損部から容易に取り外すことができる。
【００３１】
本発明の範囲は、図示され記載された例示的な実施の形態に限定されるものではなく、本発明が目的とするものと均等な効果をもたらすすべての実施の形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００３２】
６…部分入れ歯
８…義歯
１０…義歯床
１２…ウイング
１４…金属線
２２…溝
２４…第１の傾斜面
２６…第２の傾斜面
２８…突出部
３０…係合凹所
【図１】
2013056085.tif 000003
【図２】
2013056085.tif 000004
【図３】
2013056085.tif 000005
【図４】
2013056085.tif 000006
【図５】
2013056085.tif 000007
【図６】
2013056085.tif 000008
【図７】
2013056085.tif 000009
【図８】
2013056085.tif 000010
【図９】
2013056085.tif 000011
【図１０】
2013056085.tif 000012
【図１１】
2013056085.tif 000013